(57)【特許請求の範囲】
【請求項１】
背シェルの後面を背フレームによって支持し、クッション体を前面に取り付けるようにした椅子の背シェル構造において、
背シェルの上部に、背シェルの上下方向の中間部において後方に向けて湾曲させた段部を形成することにより、前面側に空間を有するとともに、平面視で、左右よりも中央が後方へ突出し、側面視で、上部より下部が後方へ突出するようにした湾曲部を形成し、この湾曲部における前面の空間内に、上下方向を向く複数のリブを、左右方向に離間して設け、かつ前記各リブの上下縁を、前記湾曲部の上下端縁と連結し、さらに背フレームを、背シェルの後面における前記湾曲部の直下の後面側に位置させて設けたことを特徴とする椅子の背シェル構造。
【請求項２】
前記各リブの前後方向の幅を、上縁から下縁に向かって、漸次大となるようにした請求項１記載の椅子の背シェル構造。
【請求項３】
前記クッション体の後面から係合部を後方に向けて突設し、かつ湾曲部の前面側のリブとリブとの間に、前記係合部と係合する被係合部を設けて、クッション体を背シェルに支持させるようにした請求項１または２記載の椅子の背シェル構造。
【請求項４】
前記クッション体の上部後面側に、下端が開口する袋状取付部を設け、この袋状取付部を、前記湾曲部に被せることにより、クッション体を背シェルに支持させるようにした請求項１〜３のいずれかに記載の椅子の背シェル構造。
【発明の詳細な説明】
【０００１】
【発明の属する技術分野】
本発明は、椅子の新規な背シェル構造に関する。
【０００２】
【従来の技術】
座の後方において立ち上がる背フレームに取り付けられている背凭れ部における背シェルは、着座者が背凭れ部に凭れ掛かった際、背シェルの上部において、後方への負荷がかかるため、それに対応する強度が要求される。
従来、背シェルの上部を補強するため、たとえば特開２０００−７９０３８号公報に記載されているように、背シェルの上部に一様の幅を有する横リブを設け、この横リブと交差する縦リブを部分的に設けた、補強手段を有する背シェルが提案されている。
【０００３】
【発明が解決しようとする課題】
しかし、着座者の背中を安定よくサポートすることを目的として、平面視で後方に湾曲させ、横リブによって上部を補強した前記背シェルの構造では、前記湾曲部の変形が横リブにより制限されるため、着座者が背シェルに凭れ掛かった際の湾曲部の変形性は乏しく、柔軟なフィット感を得る点において、改良の余地があった。
【０００４】
本発明は、着座者が背凭れ部に凭れ掛かった際に必要とされる背シェルの上部における強度のみならず、背凭れ部のクッション体を、専ら背シェルの上部で支持するために充分な強度を確保し、さらに背シェルの柔軟なフィット感をも併せ有し、かつ背シェルを支持する背フレームが背シェルの後方に突出することがないようにして、外観上も良好な椅子を得るようにした背シェル構造を提供することを目的とする。
【０００５】
【課題を解決するための手段】
本発明によると上記課題は、次のようにして解決される。
(１)  背シェルの後面を背フレームによって支持し、クッション体を前面に取り付けるようにした椅子の背シェル構造において、背シェルの上部に、背シェルの上下方向の中間部において後方に向けて湾曲させた段部を形成することにより、前面側に空間を有するとともに、平面視で、左右よりも中央が後方へ突出し、側面視で、上部より下部が後方へ突出するようにした湾曲部を形成し、この湾曲部における前面の空間内に、上下方向を向く複数のリブを、左右方向に離間して設け、かつ前記各リブの上下縁を、前記湾曲部の上下端縁と連結し、さらに背フレームを、背シェルの後面における前記湾曲部の直下の後面側に位置させて設ける。
【０００６】
(２)  上記(１)項において、前記各リブの前後方向の幅を、上縁から下縁に向かって、漸次大となるようにする。
【０００７】
(３)  上記(１)項または(２)項において、前記クッション体の後面から係合部を後方に向けて突設し、かつ湾曲部の前面側のリブとリブとの間に、前記係合部と係合する被係合部を設けて、クッション体を背シェルに支持させるようにする。
【０００８】
(４)  上記(１)項〜(３)項のいずれかにおいて、前記クッション体の上部後面側に、下端が開口する袋状取付部を設け、この袋状取付部を、前記湾曲部に被せることにより、クッション体を背シェルに支持させるようにする。
【０００９】
【発明の実施の形態】
図１は、本発明の、椅子の背シェル構造の代表的な実施形態を示す前方斜視図、図２は、同じく後方斜視図、図３は、クッション体を装着した状態を示す側面図、図４は、背シェルを背フレームに取り付けた状態を示す後方斜視図である。
【００１０】
本発明における背シェル(１)は、背シェル(１)の上部に、背シェル(１)の上下方向の中間部において後方に向けて湾曲させた段部(2a)を形成することにより、前面側に空間を有するとともに、平面視で、左右よりも中央が後方へ突出し、側面視で、上部より下部が後方へ突出するようにした湾曲部(２)を形成し、この湾曲部(２)における前面の空間内に、上下方向を向く複数のリブ(３)を、左右方向に離間して設け、かつ前記各リブ(３)の上下縁を、前記湾曲部の上下端縁と連結してある。湾曲部(２)は、平面視において、左右より中央が後方へより大きく突出し、かつ側面視において、上部より下部が、後方へ大きく突出している。
【００１１】
各リブ(３)の前後方向の幅は、上縁から下縁に向かって、漸次、大とされ、かつ各リブ(３)の後縁は、湾曲部(２)の前面に、一体的に固着されている。
【００１２】
また背シェル(１)は、側面視において前向くの字形をなし、前記湾曲部(２)の下方に続く板状部(４)における上下方向の中間部(4a)において、前後方向に弾性屈曲可能とされている。
【００１３】
背シェル(１)の前面は、表面材(5a)により覆われたクッション体(５)が取り付けられる。クッション体(５)の後面上部から、図示を省略した係合部を後方に向けて突設するとともに、湾曲部(２)のリブ(３)の間に、前記係合部と係合しうる被係合部(６)を設けて、クッション体(５)の上部を背シェル(１)に取り付け、かつクッション体(５)の後面下部から図示を省略した係合部を設け、背シェル(１)の下部に設けた係合孔(７)に係合させてある。
【００１４】
さらに、クッション体(５)の上部後面側に、下端が開口する袋状取付部(5b)を設け、この袋状取付部(5b)を、前記湾曲部(２)に被せてある。
【００１５】
着座者が背凭れ部に凭れ掛かった際には、クッション体(５)には、上下方向の力が負荷され、その力は、クッション体(５)を介して湾曲部(２)に伝達される。
【００１６】
しかし、湾曲部(２)には、上下方向を向く複数のリブ(３)が設けられているため、前記の上下方向の負荷に対して十分な強度を有し、クッション体(５)は、安定的に保持される。
【００１７】
しかも、前記各リブ(３)の前後方向の幅を、上縁から下縁に向かって漸次、大としてあるため、背シェル(１)の上端では、適度の可撓性を有するとともに、湾曲部(２)の下部では、妄りに撓むことなく、十分な強度を有する。
【００１８】
また、湾曲部(２)における各リブ(３)は、上下方向を向いているため、背シェル(１)は、縦軸まわりに、比較的容易に変形しうる。そのため、着座者が後方に凭れ掛かったときに、背シェル(１)の湾曲部(２)の中央部は後方に、かつ両側部は接近するように弾性変形し、着座者に快適なフィット感を与えることができる。
【００１９】
なお、背シェル(１)における湾曲部(２)の下方に続く板状部(４)の後面の上部左右には、背シェル(１)を背フレーム(８)の横杆(９)に取り付けるための取付用中空突起(10)(10)が設けられている。
【００２０】
背シェル(１)の後面の下部左右には、先端部が前方を向くように湾曲させた横向き係合片(11)(11)が設けられ、この係合片(11)(11)を、背フレーム(８)の左右の縦杆(12)(12)に、後方から上下摺動可能に係合させるようにしてある。
【００２１】
前記係合片(11)(11)の上方には、背シェル(１)を背フレーム(８)に取り付ける際、背フレーム(８)の縦杆(12)(12)を受支する受片(13)(13)が設けられている。
【００２２】
背シェル(１)を背フレーム(８)に取り付けるには、背フレーム(８)を背シェル(１)の後面における湾曲部(２)の直下に位置させて、前記左右の受片(13)(13)を背フレーム(８)の縦杆(12)(12)の位置に合わせ、前記左右の係合片(11)(11)を弾性を利用して縦杆(12)(12)に係合させ、次いで、前記左右の取付用中空突起(10)(10)の上下方向の位置を、横杆(９)に合わせた後、取付用中空突起(10)と横杆(９)とに、図示を省略した締付けねじを若干の遊びをもって貫挿し、ナット締めすればよい。かくして背シェル(１)は、締付けねじの遊びの範囲において、締付けねじの部分を中心として、前後に傾動することができる。
【００２３】
背シェル(１)の板状部(４)における取付用中空突起(10)の下方には、正面視Ｕ字型のスリット(14)を切ってあり、かつスリット(14)の内方部分(15)の中央下端と外方部分(16)とを、可撓性接続片(17)で接続してある。
【００２４】
着座者が背シェル(１)を後方へ押して、背シェル(１)が、横杆(９)への取付部を中心として、後方へ傾動するに伴い、スリット(14)の内方部分(15)の下部は、適度に前方へ突出し、着座者の腰部を押圧して、ランバサポート機能を発揮する。
【００２５】
内方部分(15)および外方部分(16)には、それぞれ縦リブ(18)(19)を設けて補強されている。
背フレーム(８)の後方には、背フレームカバー(20)が、適宜取り付けられる。
【００２６】
【発明の効果】
本発明によると、次のような効果を奏する。
(１)  請求項１記載の発明によれば、背シェルの上部における湾曲部の前面側の空間内に、上下方向を向く複数のリブを設けてあるため、上下方向の負荷に対して大きな強度を有し、クッション体を専ら背シェルの上部で、安定的に支持することができる。
さらに、前記リブは、上下方向を向いているため、背シェルは、平面視における湾曲形状の変形が容易であり、着座者に柔軟なフィット感を与えることができる。
また、湾曲部の前面側の空間内に、前後方向の幅が、上縁から下縁に向かって漸次大となるリブを設け得る湾曲部が形成され、前記のようなリブを設けることによって、背シェルの上端では、適度の可撓性を有し、着座者に柔軟なフィット感を与えるとともに、湾曲部の下部では、クッション体を支持するための十分な強度を有する。
さらに、背フレームを、背シェルの後面における前記湾曲部の直下の後面側に位置させて設けてあるため、背シェルを支持する背フレームが、背シェルの後方に突出することがなく、かつ背フレームの上端が湾曲部で覆われるため、外観上優れた椅子を得ることができる。
【００２７】
(２)  請求項２記載の発明によれば、背シェルの上端では、適度の可撓性を有し、着座者に柔軟なフィット感を与えるとともに、湾曲部の下部では、クッション体を支持するための十分な強度を有する。
【００２８】
(３)  請求項３記載の発明によれば、クッション体を、強度の大きい湾曲部を利用して、背シェルに安定的に取り付けることができる。
【００２９】
(４)  請求項４記載の発明によれば、請求項４に記載の発明と同様の効果が得られる。
【００３０】
【図面の簡単な説明】
【図１】  本発明の、椅子の背シェル構造の代表的な実施形態を示す前方斜視図である。
【図２】  同じく後方斜視図である。
【図３】  クッション体を装着した状態を示す側面図である。
【図４】  背シェルを背フレームに取り付けた状態を一部破断して示す後方斜視図である。
【符号の説明】
(１)背シェル
(２)湾曲部
(2a)段部
(３)リブ
(４)板状部
(4a)中間部
(５)クッション体
(5a)表面材
(5b)袋状取付部
(６)被係合部
(７)係合孔
(８)背フレーム
(９)横杆
(10)取付用中空突起
(11)係合片
(12)縦杆
(13)受片
(14)スリット
(15)内方部分
(16)外方部分
(17)可撓性接続片
(18)(19)縦リブ
(20)背フレームカバー
【図１】
0003789102.tif 000002
【図２】
0003789102.tif 000003
【図３】
0003789102.tif 000004
【図４】
0003789102.tif 000005